【手続補正書】
【提出日】平成17年7月22日(2005.7.22)
【手続補正１】
【補正対象書類名】特許請求の範囲
【補正対象項目名】全文
【補正方法】変更
【補正の内容】
【特許請求の範囲】
【請求項１】
スライドが：
第一スライド部材と；
該第一スライド部材へ滑動可能に連結され、該第一スライド部材に対して引き出しかつ押し戻すことのできる第二スライド部材と；
該第一スライド部材に対してかみ合い連結するための、該第二スライド部材へ連結されたロックラッチと；
該ロックラッチへ滑動可能に連結され、かつ該ロックラッチに沿って第一位置と第二位置との間で滑動移動可能なジャケットであって；該第二スライド部材が該第一スライド部材へ連結中に、該第二スライド部材が該第一スライド部材に対して押しもどされる場合、該ジャケットは、該第一位置へ移動し、該ロックラッチが該第一スライド部材へかみ合い連結することを防止していて；該第二スライド部材が該第一スライド部材に対して延伸される場合、該ジャケットは、第二位置へ移動し、該ロックラッチが該第一スライド部材へかみ合い連結することを可能にしている；ジャケットと、
を具備するスライド。
【請求項２】
該第一スライド部材は、該ジャケットが該第一位置と該第二位置との間で滑動するようにしている、請求項１に記載のスライド。
【請求項３】
該第一スライド部材が少なくとも一つの突起を備え、かつ該ロックラッチが少なくとも一つの切欠きを備えていて；前記少なくとも一つの突起が前記少なくとも一つの切欠きを貫通するとき、該ロックラッチは該第一スライド部材へかみ合い連結する、請求項１に記載のスライド。
【請求項４】
該ジャケットは、前記第一位置にある場合、前記少なくとも一つの突起による該切欠きの貫通を防止している、請求項３に記載のスライド。
【請求項５】
前記少なくとも一つの切欠きは、該ロックラッチを貫通して形成された開口部である、請求項３に記載のスライド。
【請求項６】
前記少なくとも一つの突起は、該第一スライド部材から、すなわち該第一スライド部材の端部近傍位置から延伸していて、該端部から該第二スライド部材が該第一スライド部材に対して延伸している、請求項３に記載のスライド。
【請求項７】
該第二スライド部材が該第一スライド部材へ連結中に、該第二スライド部材が該第一スライド部材に対して押しもどされるとき、前記少なくとも一つの突起は該ジャケットに係合し、該ジャケットを該第一位置へ移動するようになっていて；該第二スライド部材が該第一スライド部材に対して延伸されるとき、前記少なくとも一つの突起は該ジャケットに係合し、該ジャケットを該第二位置へ移動するようになっている、請求項６に記載のスライド。
【請求項８】
該第一スライド部材は、細長いウェブと、該ウェブの両側から延伸しているレグとを具備している細長い部材であって；該第一スライドの該ウェブと該レグとがチャンネルを形成していて、該第一スライド部材は該第一スライド部材の前記端部へ延伸している開口部をさらに具備しており、前記端部からは該第二スライド部材が該第一スライド部材に対して延伸していて；前記少なくとも一つの突起は、該チャンネル内において該第一スライド部材の該ウェブから延伸している第一タブと、該チャンネル内において該第一スライド部材の該ウェブから延伸している第二タブとを備えており；該第一及び第二タブが、該第一スライド部材の該ウェブに形成された前記開口部の対向している側面から延伸している；請求項６に記載のスライド。
【請求項９】
該ロックラッチが、該第一スライド部材へ連結された第一部分と、該第一部分に対してある角度で延伸している第二部分とを備えていて；前記少なくとも一つの切欠きが二つの切欠きを備えており、一方の切欠きは該第二部分の一方の側面に形成され、もう一方の切欠きは該第二部分の対向側面に形成されていて；ネックが該二つの切欠きの間に形成されており；該第二部分はさらにボデーとヘッドとを備えていて；該ボデーとヘッドとは該ネックにより相互接続されており；該ロックラッチが該第一スライド部材へかみ合い連結するとき、各タブは前記切欠きの一方を貫通する；請求項８に記載のスライド。
【請求項１０】
該ボデーが二つの区画を備えており、第一区画は該ネックに隣接し、第二区画は該第一区画から延伸していて；該第一区画の幅は、該ボデーの第一区画を越えて延伸している該ボデーの第二区画に二つの肩を形成している該第二区画の幅より狭まくて、かつ二つの肩が該ネックを越えて延伸している該ヘッドに形成されており；該第一位置において該ジャケットが該ヘッドに形成された該肩に接触し、該第二位置において該ジャケットは該ボデーの第二区画に形成された該肩に接触している；請求項９に記載のスライド。
【請求項１１】
該ジャケットが、該ロックラッチをはさんで、第一表面と対向している第二表面とを備えている、請求項１０に記載のスライド。
【請求項１２】
該ジャケットが、
第一パネルと、
該第一パネルに対向した第二パネルと、
該第一パネルに対向していて、かつ該第二パネルから該ネックの幅より狭い距離で離間している第三パネルと、を備えていて；
該第一、第二及び第三パネルは、少なくとも部分的に該ロックラッチを囲んでいる；請求項１０に記載のスライド。
【請求項１３】
該ジャケットが、第一側面と第二側面とをさらに備えていて；該第一側面は、該第一及び第二パネルに対して横断し、かつ該第一及び第二パネルと相互接続しており、該第二側面は、該第一及び該第三パネルに対して横断していて、かつ該第一及び該第三パネルと相互接続しており；該第一及び第二側面各々が端部を備えており、該ジャケットが該第二位置にある場合、各端部は前記ボデーの第二区画の肩に係合している；請求項１２に記載のスライド。
【請求項１４】
該ジャケットが、第一端部ウェブ部分と第二端部ウェブ部分とをさらに備えていて；該第一端部ウェブ部分は、該第一及び第二パネルに対して横断していて、かつ該第一及び第二パネルと相互接続しており、該第二端部ウェブ部分は、該第一及び該第三パネルに対して横断していて、かつ該第一及び該第三パネルと相互接続しており；該ジャケットが該第一位置にある場合、該第一及び第二端部ウェブ部分各々が前記ヘッドの肩に係合している；請求項１３に記載のスライド。
【請求項１５】
該ジャケットがユニットとして一体的に形成されている、請求項１４に記載のスライド。
【請求項１６】
該ロックラッチが、該ボデーの第一区画に突起をさらに備えていて；切欠きは、ジャケットの該第一パネルに形成され該第一パネルの端部へ延伸しており、該ジャケットが該第二位置にある場合、該突起を収容するようになっている；請求項１２に記載のスライド。
【請求項１７】
該ロックラッチが突起を備えていて、かつ該第一スライド部材は凹部を備えており；該ジャケットが該第二位置にある場合、該突起は、該凹部を貫通することが可能となり、該ロックラッチを該第一スライド部材へ相互連結するようになっている、請求項１に記載のスライド。
【請求項１８】
該ロックラッチが突起を備えていて、かつ該第一スライド部材は開口部を備えており；該ジャケットが該第二位置にある場合、該突起は、該開口部を貫通することが可能となり、該ロックラッチを該第一スライド部材へ相互連結するようになっている、請求項１に記載のスライド。
【請求項１９】
該第二スライド部材は、細長いウェブと、該ウェブの両側から延伸しているレグとを具備している細長い部材であって；該ウェブと該第二スライド部材のレグとがチャンネルを形成しており；該第一及び第二スライド部材が滑動可能に連結される場合、該第一スライド部材の該チャンネルは該第二スライド部材の該チャンネルに対面していて；該ロックラッチは、該第二スライド部材の該ウェブへ連結し、かつ該第二スライド部材の該チャンネル内において延伸しており；該ロックラッチが、第一端部部分と第二端部部分とを備えていて、該第一端部部分は該第二スライド部材の該ウェブへ連結され、さらに該第二端部部分は、該第一端部部分に対向しかつ該第一端部部分に対しある角度で延伸していて；該第二部分の端部は該第二スライド部材の該ウェブに向かって曲げられている、請求項８に記載のスライド。
【請求項２０】
該第二スライド部材は、該ラッチの該第二部分が該第二スライド部材の該ウェブに向けて押される場合に、該ラッチの該第二部分の該曲げられた端部を受け入れるためのスロットを備えている、請求項１９に記載のスライド。
【請求項２１】
引出しスライド用のラッチ装置であって、ロックラッチとジャケットとを具備するラッチ装置において：
該ロックラッチが、
ボデーと、
ヘッドと、
該ボデー及び該ヘッドとに相互接続しているネック部分と、を具備しており；
該ジャケットは、該ロックラッチへ滑動可能に連結し、かつ該ネックをおおった第一位置と、該ネックから離れた第二位置との間で滑動可能である；ラッチ装置。
【請求項２２】
該ボデーが二つの区画を備えており、第一区画は該ネックに隣接し、第二区画は該第一区画から延伸していて；該第一区画の幅は、該ボデーの第一区画を越えて延伸している該ボデーの第二区画に二つの肩を形成している該第二区画の幅より狭まくて、かつ二つの肩が該ネックを越えて延伸している該ヘッドに形成されており；該第一位置において該ジャケットが該ヘッドに形成された該肩に接触し、該第二位置において、該ジャケットは該ボデーの第二区画に形成された該肩に接触している；請求項２１に記載のラッチ装置。
【請求項２３】
該ジャケットが、該ロックラッチをはさんで第一表面と対向している第二表面とを備えている、請求項２２に記載のラッチ装置。
【請求項２４】
該ジャケットが、
第一パネルと、
該第一パネルに対向した第二パネルと、
該第一パネルに対向していて、かつ該第二パネルから該ネックの幅より狭い距離で離間している第三パネルと、を備えていて；
該第一、第二及び第三パネルは、少なくとも部分的に該ロックラッチを囲んでいる；請求項２２に記載のラッチ装置。
【請求項２５】
該ジャケットが、第一側面と第二側面とをさらに備えていて；該第一側面は、該第一及び第二パネルに対して横断し、かつ該第一及び第二パネルと相互接続しており、該第二側面は、該第一及び該第三パネルに対して横断していて、かつ該第一及び該第三パネルと相互接続しており；該第一及び第二側面各々が端部を備えており、該ジャケットが該第二位置にある場合、各端部は前記ボデーの第二区画の肩に係合している；請求項２４に記載のラッチ装置。
【請求項２６】
該ジャケットが、第一端部ウェブ部分と第二端部ウェブ部分とをさらに備えていて；該第一端部ウェブ部分は、該第一及び第二パネルに対して横断していて、かつ該第一及び第二パネルと相互接続しており、該第二端部ウェブ部分は、該第一及び該第三パネルに対して横断していて、かつ該第一及び該第三パネルと相互接続しており；該ジャケットが該第一位置にある場合、該第一及び第二端部ウェブ部分各々が前記ヘッドの肩に係合している；請求項２５に記載のラッチ装置。
【請求項２７】
該ジャケットがユニットとして一体的に形成されている、請求項２６に記載のラッチ装置。
【請求項２８】
該ロックラッチが、該ボデーの第一区画に突起をさらに備えていて；切欠きは、ジャケットの該第一パネルに形成され該第一パネルの端部へ延伸しており、該ジャケットが該第二位置にある場合、該突起を収容するようになっている；請求項２４に記載のラッチ装置。
【手続補正２】
【補正対象書類名】図面
【補正対象項目名】全図
【補正方法】変更
【補正の内容】
【図１Ａ】
2005517465.tif 000001
【図１Ｂ】
2005517465.tif 000002
【図２】
2005517465.tif 000003
【図３Ａ】
2005517465.tif 000004
【図３Ｂ】
2005517465.tif 000005
【図４Ａ】
2005517465.tif 000006
【図４Ｂ】
2005517465.tif 000007
【図４Ｃ】
2005517465.tif 000008
【図４Ｄ】
2005517465.tif 000009
【図５】
2005517465.tif 000010
【図６Ａ】
2005517465.tif 000011
【図６Ｂ】
2005517465.tif 000012
【図６Ｃ】
2005517465.tif 000013
【図７】
2005517465.tif 000014
【図８Ａ】
2005517465.tif 000015
【図８Ｂ】
2005517465.tif 000016
【図８Ｃ】
2005517465.tif 000017
【図８Ｄ】
2005517465.tif 000018
【図８Ｅ】
2005517465.tif 000019
【図９】
2005517465.tif 000020
【図１０Ａ】
2005517465.tif 000021
【図１０Ｂ】
2005517465.tif 000022
【図１０Ｃ】
2005517465.tif 000023
【図１０Ｄ】
2005517465.tif 000024
【図１０Ｅ】
2005517465.tif 000025
【図１１Ａ】
2005517465.tif 000026
【図１１Ｂ】
2005517465.tif 000027